Podtech/llm-jp-corpus-v4-ja_patent huggingface dataset:
(57)【要約】      （修正有）【課題】細かい食べ物等でもつまみやすくなり、箸のあつかいが不慣れな幼児等でも使用が容易となる箸を提供する。【解決手段】箸本体の上端部の断面が略正方形を成し、長手方向の先端部に向かい徐々に細くなり、先端部の断面が円形を成し、最先端部の直径が２ｍｍ以下となることを特徴とする。箸本体の先端部付近の合わせがよくなり、細かい食べ物等でもつまみやすくなり、箸のあつかいが不慣れな幼児等でも使用が容易となる。また、手で持つ部分が角柱形状であるため、手で持った際に良好なグリップ感を得ることができるとともに、テーブル等に置いた際に転がる恐れのない安定性に優れた効果を奏する。【選択図】図１
0003175006.tif 000002
【実用新案登録請求の範囲】
【請求項１】
箸本体の上端部の断面が略正方形を成し、長手方向の先端部に向かい徐々に細くなり、先端部の断面が円形を成し、最先端部の直径が２ｍｍ以下となることを特徴とする箸。
【請求項２】
前記箸本体の最上端部の形状が四角錐を成していることを特徴とする請求項１記載の箸。
【請求項３】
前記箸本体は、竹であることを特徴とする請求項１記載の箸。
【考案の詳細な説明】
【技術分野】
【０００１】本考案は、食事に供する箸に関する。
【背景技術】
【０００２】従来、箸には木製やプラスチック製のものが多く、中でも木製は表面に漆を塗布し、断面形状が円形のものが多く見受けられる。
【先行技術文献】
【特許文献】
【０００３】
【特許文献１】特開平７−１１６０４９号公報
【考案の概要】
【考案が解決しようとする課題】
【０００４】特開平７−１１６０４９号の箸は、木、竹等からなる箸本体のほぼ全面に、生漆等の漆層を形成したものであるため、天然素材である木、竹等の質感を損ねており、素材感を感じることができない。【０００５】食べ物をつまむ先端部分にも生漆を塗布しており、生漆の膜厚により先端部分が太くなるため、細かい食べ物等がつまみにくく、かつ滑りやすくなり、箸のあつかいが不慣れな幼児等では使用が難しい。【０００６】また、図面から見ると、箸の断面形状は円形であるため、テーブル等に箸を置いた際に、転がる恐れがあり、衛生上好ましくない。【０００７】本考案は、上記のような従来技術の課題を解決したものであり、箸のあつかいが不慣れな幼児等でも容易に使用が可能で、テーブル等に置いた際に転がる恐れのない安定性のある箸の提供を目的とする。
【課題を解決するための手段】
【０００８】上記目的を達成するために、本考案の箸では、箸本体の上端部の断面が略正方形を成し、長手方向の先端部に向かい徐々に細くなり、先端部の断面が円形を成し、最先端部の直径が２ｍｍ以下となることを特徴とする。【０００９】前記箸の素材は、竹であることが望まししい。木に較べて高強度である竹で使用することにより最先端部の直径が２ｍｍ以下の形状でも折れることがなく使用が可能となる。
【考案の効果】
【００１０】このように、本考案に係る箸は、箸本体の上端部の断面が略正方形を成し、長手方向の先端部に向かい徐々に細くなり、先端部の断面が円形を成し、最先端部の直径が２ｍｍ以下に極細に加工することにより、箸本体の先端部付近の合わせがよくなり、細かい食べ物等でもつまみやすくなり、箸のあつかいが不慣れな幼児等でも使用が容易となる。また、手で持つ部分が角柱形状であるため、手で持った際に良好なグリップ感を得ることができるとともに、テーブル等に置いた際に転がる恐れのない安定性に優れた効果を奏する。
【図面の簡単な説明】
【００１１】
【図１】本考案の好適な実施例に係る箸１の断面図を含む正面図を示し、図１（ａ）は箸１の正面図を、図１（ｂ）はＡ−Ａ線矢視拡大断面図を、図１（ｃ）はＢ−Ｂ線矢視拡大断面図を、図１（ｄ）は最上端部６の拡大平面図を示す。
【考案を実施するための形態】
【００１２】本考案を実施する上で最良の形態と考えられるものを以下に説明する。
【実施例】
【００１３】図１（ａ）に箸１の正面図を示す。箸１の素材は竹を使用し、箸本体２を製作する。竹の種類は、竹の中でも材厚が厚く、材質の硬いモソウチクが好ましい。【００１４】図１（ｂ）は、箸本体２の上端部３のＡ−Ａ線矢視拡大断面図を示す。上端部３の断面は、略正方形を成し、長手方向の先端部４に向かい角錐状に徐々に細くなる角柱形状を形成しており、最先端部５から約５ｃｍ付近から断面が徐々に円形を成す。この際、箸本体２における角部分は、面取りすることにより所定アールを付している。上端部３の近傍は手で持つ部分でもあり、この部分が角柱形状であるため、手で持った際に良好なグリップ感を得ることができる。また、テーブル等に置いた際に転がる恐れのない安定性に優れている。図１（ｃ）にその断面のＢ−Ｂ線矢視拡大断面図を示す。【００１５】最先端部５の直径は、２ｍｍ以下になるように極細に加工する。このような極細加工は、竹の種類を靭性の高い高強度のモソウチクにすることにより成し得ることであり、木で製作した場合は、食べ物をつまむ際に少し力を入れただけで折れてしまうことがある。極細に加工することにより、箸本体２の先端部４付近の合わせがよくなり、細かい食べ物等でもつまみやすくなり、箸のあつかいが不慣れな幼児等でも使用が容易となる。【００１６】図１（ｄ）は、最上端部６の拡大平面図を示す。最上端部６は、四角錐の形状を成している。【００１７】以上、本考案の実施例を説明したが、本考案は、この実施例に限定されるものではなく、細部の形状、素材、色彩等において、本考案の要旨を逸脱しない範囲で任意に変更、追加、削除等することができることは、いうまでもない。
【符号の説明】
【００１８】１    箸
２    箸本体
３    箸の上端部
４    箸の先端部
５    箸の最先端部
６    箸の最上端部
【図１】
0003175006.tif 000003
(57)【要約】      （修正有）【課題】他人の皮脂、汗又は雑菌或いはウィルス等が付着している恐れがある、不特定多数の人が触れるつり革や手すり、エスカレーターのベルトなどを掴み又は触れる場合に、これらから手を保護するための、手軽な防護用ハンドカバーを提供する。【解決手段】抗菌・防臭などの加工を施した布２を表裏になるように折り、筒状に縫製３する。筒の一方の出口となる布の裁断部には、ほつれ止め用の布４で始末を施している。さらに、親指が通る程度の指穴を付加すれば、手のひらへの位置固定度合いを増すことが可能となり、使用時のズレを防止することが可能である。また、ハンドカバーの素材として、冷感素材を使用すること又は冷感剤を塗布することにより夏季の使用の際に快適さを付加しても良い。さらに、抗菌・防臭加工を施したファッション性を考慮したデザインプリント５による布地を使用することで、装飾効果を得ることもできる。【選択図】図１
0003175005.tif 000002
【実用新案登録請求の範囲】
【請求項１】
抗菌・防臭加工を施した布地を、手のひら部分をカバーする程度の長さ・幅を形作る筒状に縫製した、ハンドカバー。
【請求項２】
装着したときに手の甲側にあたる布地表面に、宣伝用の印刷が形成されていることを特徴とする請求項１記載のハンドカバー。
【考案の詳細な説明】
【技術分野】
【０００１】  本考案は、抗菌・防臭加工を施した布地を、手のひら部分をカバーする程度の長さ・幅を形作る筒状に縫製加工することで、手軽に装着できあらゆる雑菌やウィルス等に対する防疫手段、及び他人と共用する物に付着した皮脂や汗、汚れ等から手を守る為の手段としてのハンドカバーに関するものである。
【考案の概要】
【考案が解決しようとする課題】
【０００２】  従来、つり革や手すり等を利用する際に素手でこれを行うことに抵抗がある場合は、通常の手袋を装着するか又はハンカチや除菌シート等で当該つり革や手すり等を拭いてから使用するというような不便があった。【０００３】  しかし、手袋は、夏季においては発汗による不快感を生じさせる為、不便である。又、通常つり革等を握るのは片手で十分であり、又使用対象を左右の手に特定してしまう手袋は、上記目的のためには不便である。さらに、手袋を装着すると、乗り物内での読書や携帯端末の操作に極めて不便である。【０００４】  ハンカチや除菌シート等でつり革や手すり等を拭く行為は、神経質である印象を周囲に与える為、行為自体にも抵抗感がある。
【課題を解決するための手段】
【０００５】  本考案は、抗菌・防臭加工を施した布地を、指先から手のひらまでをカバーする程度の長さ・幅を形作る筒状に縫製することで、前記の課題を解決する。左右・上下に伸縮性を持たせることにより、どのような手の大きさにも適応する。
【考案の効果】
【０００６】  本考案のハンドカバーは、つり革や手すり又はエスカレーターのベルト等を掴む際に必要最小限の場所をカバーし、装着することによる蒸れを最小限に防ぎ、またデザインプリントを施した布地であれば、使用における違和感を防ぐものである。【０００７】  本考案のハンドカバーの形状は、手袋に特徴的な、左右特定の手袋に、一方向から、５本の指をそれぞれ特定の指筒に挿入しなければならない煩わしさを解消し、手間を軽減、時間を短縮することが可能となり、必要な時に機動的に装着できる手軽さを提供する。【０００８】  また左右ペアである必要がなく、一つで左右いずれの手にも付け替えて使用することが可能である。【０００９】  本考案のハンドカバーは、筒状であるため指先が自由であり、従ってこれを装着したままであっても、読書の際のページめくりや携帯端末の操作にも支障が無い。【００１０】  また非使用時は手首にそのままずらして巻いておくことで、ブレスレット状の装身具としても効果を得ることができる。【００１１】  請求項２の考案によれば、使用者が本考案のハンドカバーを装着し電車等のつり革を握ったときに、ハンドカバーの手の甲側に印刷された広告が、周囲の人の目につく高さに位置することになるため、極めて高い広告効果を得ることが可能となる。
【実施例】
【００１２】  以下、添付図面に従って実施例を説明するが、これにより本考案が限定されるものではない。【００１３】  １は本考案の本体である。
２は、抗菌・防臭などの加工を施した布であり、これを表裏になるように折り、筒状に縫製（３）する。筒の一方の出口となる布の裁断部には、４のほつれ止め用の布で始末を施している。【００１４】  抗菌・防臭加工を施したファッション性を考慮したデザインプリント（５）による布地を使用することで、装飾効果を得ることができる。【００１５】  本考案の本体の、手の甲にあたる部分に宣伝効果を目的とした印刷（６）を施すことにより請求項２に記した効果を得ることができる。【００１６】  本体に紐状のストラップを取り付けることにより、取り外した際の紛失を防止する事が可能である。
【産業上の利用可能性】
【００１７】  本考案は、手袋などに比較した手軽さを提供した上で、ファッションの指向性にあったデザインプリントを施すなどの付加価値を提供することで、産業上の利用可能性を有する。【００１８】  本考案のハンドカバーの素材として、冷感素材を使用すること又は冷感剤を塗布することにより夏季の使用の際に快適さを付加提供することが可能である。【００１９】  さらに、親指が通る程度の指穴を付加することで、手のひらへの位置固定度合いを増すことが可能となり、使用時のズレを防止することが可能である。【００２０】  本体の内部にリング状の紐等、又はトンネル状の布等をいずれも指が一本通る程度の大きさで取り付けることにより、これに中指（他の指でも可）を通すことで使用時のズレを防止することが可能である〔図４〕。【００２１】  本考案の本体に宣伝要素となる印刷を施せば、使用者が電車等のつり革利用の際に、周囲からの高い視認性により、広告媒体としての産業上の利用可能性を有する。
【図面の簡単な説明】
【００２２】
【図１】本考案の抗菌ハンドカバーの立体図である。
【図２】本考案の分解図である。
【図３】本考案の抗菌ハンドカバーを手に装着した図である。
【図４】本項案の抗菌ハンドカバーの使用形態として、を手に装着しつり革を握った場合の図である。
【図５】本体内部に指掛け用のリング状の紐をつけた場合の図である。
【符号の説明】
【００２２】１  ハンドカバー本体
２  抗菌加工した布地
３  ２を筒状に縫い合わせた継ぎ目部
４  ３で筒状加工した布地の切れ端部分のほつれ止め始末部
５  デザインプリント
６  広告プリント
７  つり革
８  指掛け用のリング状の紐
【図１】
0003175005.tif 000003
【図２】
0003175005.tif 000004
【図３】
0003175005.tif 000005
【図４】
0003175005.tif 000006
【図５】
0003175005.tif 000007
(57)【要約】      （修正有）【課題】スープ上面にある油をよけて下部のスープだけをすくうことができるれんげやお玉などのスープすくい器具を提供する。【解決手段】スープすくい器具の椀部に、垂直方向に貫通する穴を配設し、該穴の開口上端は椀上縁部よりやや低い位置に配設されてなる。【選択図】図１
0003175010.tif 000002
【実用新案登録請求の範囲】
【請求項１】
椀部に垂直方向に貫通する穴を有し、該穴の開口上端は碗上縁部よりやや下面に配設されてなる構造のスープすくい器具。
【考案の詳細な説明】
【技術分野】
【０００１】  本考案は、油よけスープすくい器具に関するものである。
【背景技術】
【０００２】  スープから具だけを取り出すために、穴の開いたスープすくい器具は広く普及しているが、表面の油をよけて、スープだけをすくう器具はなかった。
【先行技術文献】
【特許文献】
【０００３】
【特許文献１】  特許公開２０００−３０８５８３号  公報
【考案の概要】
【考案が解決しようとする課題】
【０００４】  現在の食生活においては、健康志向の高まりから、油分の摂取を控えたいという要求があるが、従来のれんげやお玉といったスープすくい器具では、スープ上面にある油をよけて、下部のスープだけをすくいたくても、油が入り込んでしまい、難しかった。
【課題を解決するための手段】
【０００５】  スープすくい器具の椀に、垂直方向に貫通する穴を配設し、該穴の開口上端は椀上縁部よりやや低い位置に配設されてなる構造とした。
【考案の効果】
【０００６】  本考案の構造によるスープすくい器具を使用することにより、表面の油分をよけて、下部のスープを効率よく取り込むことができる。【０００７】  尚、本構造によるスープすくい器具を使用すれば、具入りのスープをすくった後、スープすくい器具を穴方向へ傾けることで、穴からスープのみを排出し、具だけをすくうことも可能である。【０００８】  本考案は以上のような構造とすることで課題を解決した。
【図面の簡単な説明】
【０００９】
【図１】  本考案の構造を取り入れたれんげの実施の形態を示す斜視図である。
【図２】  図１に示されたれんげの上面図である。
【図３】  図１に示されたれんげの横断面図である。
【考案を実施するための形態】
【００１０】  本考案を実施するための最良の形態について、れんげを例として、その構造図を示し、以下第一の実施の形態を説明する。
【００１１】  スープすくい器具の椀内を深い部分と浅い部分からなる二段階の構造とする。該段差構造の浅い部分には、椀内と椀底部を垂直方向に貫通するスープ取り入れ穴を穿設する。
【００１２】  スープすくい器具の底面を、上面に油の層があるスープの油の層の下まで沈めると、油の層の下部のスープが該スープ取り入れ穴から椀の中に流入する。このとき、スープすくい器具の椀上縁部は、油の層よりも上にあるので、油は椀内に流入しない。
【００１３】  尚、本考案は上記に例として挙げたれんげだけでなく、お玉などにも利用できる。
【符号の説明】
【００１４】１      れんげ
２      スープ取り入れ穴
３      椀
【図１】
0003175010.tif 000003
【図２】
0003175010.tif 000004
【図３】
0003175010.tif 000005
(57)【要約】      （修正有）【課題】背中のみにリバーシブルライナーを付けることにより軽量かつ衣服内でのかさ張り感が少なく美しいシルエットが保たれ、かつ、着脱が簡単で、縫製の工程数も少なくコストダウンにつながる上着の背裏の構造を提供する。【解決手段】前見頃及び背中をベストのような形にして上着に取り付けているために着脱に時間がかかりまた縫製コストも高くつき、着用したときにもかさ張り感があり美しいシルエットが作りにくかった従来のライナーに代え、上着の背中にのみに、取り付け及び取り外しできるリバーシブルライナー１０（柄＆無地、濃色＆淡色）を配する。上記のリバーシブルライナー１０は、背裏に釦１１等の固定具を用いて取りつける。【選択図】図１
0003175013.tif 000002
【実用新案登録請求の範囲】
【請求項１】
背中だけのリバーシブルライナーを取り付けたことを特徴とした背裏の構造。
【考案の詳細な説明】
【技術分野】
【０００１】この考案は上着の背中にのみ取り付け及び取り外しできるリバーシブルライナー（柄＆無地、濃色＆淡色）
【背景技術】
【０００２】背中だけのリバーシブルライナーは着脱が簡単で縫製の工程数も少なくコストダウンにつながる。
【考案が解決しようとする課題】
【０００３】従来のライナーでは前見頃及び背中をベストのような形にして上着に取り付けているために着脱に時間がかかりまた縫製コストも高くつき着用したときにもかさ張り感があり美しいシルエットが作りにくい。
【考案の結果】
【０００４】この考案では背中のみにリバーシブルライナーが付いているため軽量かつ衣服内でのかさ張り感が少なく美しいシルエットが保たれる。
【図面の簡単な説明】
【０００５】
【図１】背中だけのリバーシブルライナー（柄＆無地、濃色＆淡色）
【図２】従来のライナー
【符号の説明】
【０００６】１０  ライナー
１１  釦
１２  裏地
１３  表地
【図１】
0003175013.tif 000003
【図２】
0003175013.tif 000004
(57)【要約】      （修正有）【課題】アロマエキスを付加することにより、着用時に香りがでるネクタイとポケットチーフを提供する。【解決手段】ネクタイ１０及びポケットチーフ１１の繊維に香りのアロマエキスをマイクロカプセル化し適度な強度で付着加工する。ネクタイ及びポケットチーフに軽い摩擦や刺激を与えることによって、マイクロカプセル内に内包されている香りのアロマエキスが発散し、さわやかな気分になる作用が期待出来るようになる。【選択図】図１
0003175014.tif 000002
【実用新案登録請求の範囲】
【請求項１】
ネクタイ及びポケットチーフに香りのアロマエキスをマイクロカプセルにして付加したネクタイとポケットチーフ。
【考案の詳細な説明】
【技術分野】
【０００１】この考案は、ネクタイとポケットチーフに香りのアロマエキスを繊維に付加することによりさわやかな気分になる効果がある。
【背景技術】
【０００２】ネクタイ及びポケットチーフの繊維に香りのアロマエキスをマイクロカプセル化し適度な強度で付着加工しています。
【考案が解決しようとする課題】
【０００３】従来のネクタイ及びポケットチーフは色柄、素材の違いだけで香りの出るものは有りませんでした。
【考案の結果】
【０００４】ネクタイ及びポケットチーフに軽い摩擦や刺激を与えることによって、マイクロカプセル内に内包されている香りのアロマエキスが発散し、さわやかな気分になる作用があります。
【図面の簡単な説明】
【０００５】
【図１】ネクタイとポケットチーフ
【符号の説明】
【０００６】１０  ネクタイ
１１  ポケットチーフ
１２  上着
【図１】
0003175014.tif 000003
(57)【要約】      （修正有）【課題】首にタオルを巻いた状態でもずり落ちないで安定するタオルを提供する。【解決手段】タオル本体１の長手方向の中心部左右両端部にＶ形状又は半円形状の切欠き２を形成する。【選択図】図１
0003175016.tif 000002
【実用新案登録請求の範囲】
【請求項１】
タオル本体１を設け、タオル本体１の長手方向中央部の左右両端部にＶ形、又は、半円形状の切欠き２を設けた事を特徴とするリボンタオル。
【請求項２】
タオル本体の生地の四隅を切り欠いて該四隅の縁部を曲線形状又は直角形状としたことを特徴とする請求項１記載のリボンタオル。
【考案の詳細な説明】
【技術分野】
【０００１】  本考案は、屋内、屋外作業等で、スポーツや各種作業、休憩、入浴、洗顔、等、又はエステ、理美容院等に使用される首に掛けて用いるタオルに関する。
【背景技術】
【０００２】  従来は、自宅、エステ、理美容院にて肩にタオルを掛けられた時、又は、ケープ（ナイロン）製の上に掛けた時、すぐずり落ちたり、理美容院でシャンプー台に移動する時、ぬれた髪をタオルでターバン巻きにして移動する等の時にすぐずり落ちたりし、又、特に夏の暑い日、首にタオル又は手拭を掛け汗を拭くう人、又は頭に巻き汗のしたたりを防ぐ、建設現場などでヘルメットを被る人、首又はヘルメットの下にタオル、手拭を使う等、タオルの使い道は非常に多く、特に首などに巻いた時などにずれ落ちることが多かった。
【先行技術文献】
【特許文献】
【０００３】
【特許文献１】特許第３８１３７３９号
【特許分献２】
【考案の概要】
【考案が解決しようとする課題】
【０００４】  本考案では、上記の問題を無くし解決するために、タオル、手拭等の中央部分左右両側に２ケ所Ｖ形又は半円形状の切欠きを形成したタオルで、このタオルを使えば、首に掛けたタオルがずり落ちる事がなく、頭の前でとめる時も結び易く圧迫感がないタオルを提供することを課題とする。
【課題を解決するための手段】
【０００５】  タオル本体１を設け、タオル本体１の長手方向中央部の左右の両端部にＶ形切欠け２、又は、半円形状の切欠き３を設け、又、タオル本体の生地の四隅を切り欠いて該四隅の縁部を曲線形状４、又は直角形状５としたことを特徴とするリボンタオル。
【考案の効果】
【０００６】  本考案のタオルの長手方向中心部両側部にＶの切欠き、又は半円形形状の切欠きを設けた事により、屋内、屋外作業等で、スポーツや各種作業、休憩、入浴、洗顔、等、又はエステ、理美容院等で、首に掛けて使用する際に、首からのずり落ちを防止でき衛生的なタオルの効果がある。
【図面の簡単な説明】
【０００７】
【図１】四隅がＲ付きタオル本体のＶカットの平面図
【図２】四隅がＲ付きタオル本体の半円形状の平面図
【図３】四隅が直角のタオル本体のＶカットの平面図
【図４】四隅が直角のタオル本体の半円形状の正面図
【図５】タオル本体の正面図
【図６】タオル本体の右側面図
【考案を実施するための形態】
【０００８】  タオル本体を設け、タオル本体の長手方向中央部の左右の両端部にＶ形又は、半円形状の切欠きを設け、又、タオル本体の生地の四隅を切り欠いて該四隅の縁部を曲線形状又は直角形状としたことを特徴とするリボンタオル。
【産業上の利用可能性】
【０００９】  タオルは、夏の暑い現場、自宅、エステ、理美容院、スポーツ等で使用する事が多く、必需品であり、必ず持参するのが普通であり、大いに利用価値はある。
【符号の説明】
【００１０】  １  タオル本体
２  Ｖ形状の切欠き
３  半円形状の切欠き
４  Ｒ
５  直角
【図１】
0003175016.tif 000003
【図２】
0003175016.tif 000004
【図３】
0003175016.tif 000005
【図４】
0003175016.tif 000006
【図５】
0003175016.tif 000007
【図６】
0003175016.tif 000008
(57)【要約】      （修正有）【課題】リールに巻いた粘着テープを切断具で切断する定置型のテープホルダーにおいて、巻きだしたテープを切断具で軽い力で確実に切断できる粘着テープホルダーを提供する。【解決手段】粘着テープリールと、該粘着テープリールから巻きだした粘着テープ５を切断する平板体８に続いてカッター９が設けられる切断具との間に空間を形成して支持した定置型の粘着リールホルダー３において、粘着リールホルダーの空間に粘着テープをくぐらせてカッターに向けて粘着テープを上向きに変更する上向ゲート１１を設けた。【選択図】図１
0003175072.tif 000002
【実用新案登録請求の範囲】
【請求項１】
粘着テープリールと、粘着テープリールから巻きだした粘着テープを切断する平板体に続いてカッターが設けられる切断具とを間に空間を形成して支持した定置型の粘着リールホルダーにおいて、粘着リールホルダーの空間に粘着テープをくぐらせてカッターに向けて粘着テープを上向きに変更する上向ゲートを設けたことを特徴とする粘着テープホルダー。
【請求項２】
カッターが鋸刃状をしており、平板体との間に凹みが形成される請求項１の粘着テープホルダー。
【考案の詳細な説明】
【技術分野】
【０００１】
本考案は、セロテープ（登録商標）等の粘着テープをリールに巻いて支持する粘着テープホルダーに関するものである。
【背景技術】
【０００２】
この粘着テープホルダー（以下、ホルダー）には切断具が設けられており、所要量巻き出した粘着テープ（以下、テープ）を切断し、切断したテープを目的物に貼り付けて使用している。この場合において、切断具は金属性であり、平板体の後方（反リール側）に鋸刃状のカッターがついているものである。平板体はテープに付いている糊でテープを固定し、しかる後にテープを押し下げてカッターで切断するものである。
【０００３】
このホルダーには特許文献１に見られるハンディタイプと特許文献２に見られる定置型とがあり、前者ではテープを貼り付けながらホルダーを動かすことから、比較的容易に切断される。しかし、後者においてはテープの切断に手こずることがある。それは、多くの場合、巻き出したテープはカッターに向けて下向きに延び（図１の（イ））、テープが直接カッターに当たり、平板体では固定されないからである。
【０００４】
このため、テープを直接カッターで切断するようになり、押下げの力が十分カッターに作用せず、切断に力が必要であったり、一度でうまく切断されなかったり、切断中に動いたりすることがある。この切断不良はテープの幅と厚みが大きいほど顕著になる。したがって、このホルダーでテープを所要量切断し、何かに貼り付ける作業を連続でしているような場合、能率も悪く、労力も多く必要とする。
【先行技術文献】
【特許文献】
【０００５】
【特許文献１】実開平０５−０３２３６０号公報
【特許文献２】特開平１０−２５０９０４号公報
【考案の概要】
【考案が解決しようとする課題】
【０００６】
本考案は、このような課題を解決するものであり、テープを切断具に向けて上向きにすることで、テープは必ず平板体に接触（接着）し、テープを固定した状態でカッターを作用させることで円滑な切断を可能にしたものである。
【課題を解決するための手段】
【０００７】
以上の課題の下、本考案は、請求項１に記載した、粘着テープリールと、粘着テープリールから巻きだした粘着テープを切断する平板体に続いてカッターが設けられる切断具とを間に空間を形成して支持した定置型の粘着リールホルダーにおいて、粘着リールホルダーの空間に粘着テープをくぐらせてカッターに向けて粘着テープを上向きに変更する上向ゲートを設けたことを特徴とする粘着テープホルダーを提供したものである。
【考案の効果】
【０００８】
請求項１の考案によると、リールの径にかかわらず、テープは上向ゲートをくぐることになり、切断具に向けては上向きに延びることになる。したがって、カッターに作用する前に平板体に接触してその糊で一時的に固定される。このため、テープをカッターに押し付けるだけで、軽い力で確実に切断されることになり、切断し損なうことがない。
【図面の簡単な説明】
【０００９】
【図１】粘着テープホルダーの側面図である。
【図２】粘着テープホルダーの平面図である。
【図３】粘着テープホルダーの切断具の一部断面側面図である。
【考案を実施するための形態】
【００１０】
以下、本考案の実施の形態を図面を参照して説明する。図１は定置型のホルダーの側面図、図２は平面図であるが、周知のとおり、上に開口したホルダー本体１の内壁の両側に溝軸２を形成し、この溝軸２にリールホルダー３の軸４を挿入して回転可能に支持している。そして，リールホルダー３の外周にリールに巻いたテープ５を装着し、その端を巻き出してホルダー本体１の他端寄りの上部に設けた切断具６に延ばしている。この場合、ホルダー本体１は軸４から彎曲状に下がって切断具６側で上り、軸４と切断具６との間は下に彎曲した空間７となっている。
【００１１】
図３は切断具６の部分の要部断面側面図であるが、切断具６は平板体８とその後方の鋸刃状のカッター９とで構成されており、間に凹み１０が形成されている。テープ５はリールに巻いた径によっても違うが、概ね切断具６に向けて下向きに延びるようになっている。したがって、多くの場合、凹み１０の存在によってテープ５は直接カッター９に当たるようになっている。カッター８を鋸刃状としたのは、鋸刃の頂点でテープ５を突き刺して固定するためと思われる。しかし、固定はされるが、スムーズな切断ができないのは上記したとおりである。
【００１２】
そこで、本考案は、上記した空間７にテープ５をくぐらせてその向きを上向きにする上向ゲート１１を設けたものである。上向ゲート１１はコの字形をした金具であり、ホルダー本体１の壁部に固定すればよい。この場合、上向ゲート１１はテープ５をくぐらせるのに充分な高さを有するようにするが、ここをくぐったテープ５は必ず図１の（ロ）のように上向きになり、平板体８の内端（テープ５側）に当たるようになっているが、あまりにも急激に上向きになるのも好ましくなく、したがって、この兼ね合いの位置に上向ゲート１０を設けることになる。
【００１３】
以上により、上向ゲート１１をくぐったテープ５は平板体８に当たってここで軽く接着されて固定されるから、この状態で、テープ５を下に押し下げるだけでカッター９で容易に切断される。この間、テープは固定されているから、一度の切断操作で確実に切断できる。特に、幅の大きいテープ５でも一度で切断できるから、連続的な操作をするときにも、作業者の疲労が少ない。
【００１４】
１      ホルダー本体
２      溝軸
３      リールホルダー
４      軸
５      テープ
６      切断具
７      空間
８      平板体
９      カッター
１０    凹み
１１    上向ゲート
【図１】
0003175072.tif 000003
【図２】
0003175072.tif 000004
【図３】
0003175072.tif 000005
(57)【要約】      （修正有）【課題】高価で複雑な装置を用いず、網目状カバーを有するベルト駆動装置において、カバー内部のプーリーの動作状況を容易に確認することを可能としたベルト駆動装置を提供する。【解決手段】プーリー１及び２、網目状カバー４をそれぞれ膨張色と収縮色、または進出色と後退色との組合せに着色することで、プーリーに網目状カバーを有するベルト駆動装置であっても、容易にプーリーが正常に回転しているかどうかといった状況を確認することを可能とする。【選択図】図１
0003175554.tif 000002
【実用新案登録請求の範囲】
【請求項１】
モーター、ベルト、プーリーと内部が視認可能な網目状カバーから構成されるベルト駆動装置であって、前記プーリー、網目状カバーがそれぞれ膨張色と収縮色、または進出色と後退色との組合せに着色されたものであることを特徴とするベルト駆動装置。
【考案の詳細な説明】
【技術分野】
【０００１】
本考案は、高価で複雑な装置を用いず、網目状カバーを有するベルト駆動装置において、カバー内部のプーリーの動作状況を容易に確認することを可能としたベルト駆動装置に関するものである。
【背景技術】
【０００２】
従来、ベルト駆動装置のベルト部の動作状況を確認する考案は種々提案されている。（例えば特許文献１）。また、本考案の発明者らも、以前、ベルトの一部を着色し、さらに、ベルト部のカバーの一部に、透明な材質で覆われた覗き窓を設けることを特徴としたベルト駆動装置を提案した。（特許文献２）
【０００３】
しかしながら、これらのようにベルト部の動作状況に着眼した考案は種々知られているが、ベルトへモーターの駆動を伝えるプーリーが正常に回転しているかどうかといった状況を容易に確認することを可能とした考案は提案されていない。特に、巻き込まれ防止等の安全の為、プーリーにカバーを設けた場合、プーリーの動作状況を確認することは容易でない。
【０００４】
そこで、カバーを網目状とすることで、カバーを通してプーリーの動作状況の確認を可能としたベルト駆動装置が一般的に知られている。
【０００５】
【特許文献１】実開平５−４２６４７号公報
【特許文献２】実登３１６２５８２号公報
【考案の開示】
【考案が解決しようとする課題】
【０００６】
しかしながらこの方法によれば、網目状カバーを通じてプーリーが停止しているか、駆動しているかといった状況を確認することは可能だが、網目状カバーがあるが故、一見しただけではプーリーが正常に回転しているかどうかといった判別までは困難であった。特に離れた位置からこのような動作状況の確認を行うことは不可能であった。
【課題を解決するための手段】
【０００７】
本考案は、これらの問題を解決する為、プーリー、網目状カバーをそれぞれ膨張色と収縮色、または進出色と後退色との組合せに着色することで、プーリーに網目状カバーを有するベルト駆動装置であっても、容易にプーリーが正常に回転しているかどうかといった状況を確認することを可能としたベルト駆動装置に関するものである。
【考案の効果】
【０００８】
本考案のベルト駆動装置によれば、プーリー、網目状カバーをそれぞれ膨張色と収縮色、または進出色と後退色との組合せに着色するという非常に安価かつ容易な方法で、離れた位置からであってもプーリーが正常に回転しているかどうかといった状況を確実に確認することを可能としたベルト駆動装置を提供可能である。
【考案を実施するための最良の形態】
【０００９】
本考案で言うベルト駆動装置とは、モーター等の動力源と駆動させたいものをベルトで結び、ベルトを介して動力を伝達する装置であればどのようなものでも良く、例えばポンプ、ファン等が挙げられる。
【００１０】
例えば、ポンプにモーターの動力を伝達する場合、モーターの動力をポンプに伝える為モーターの先にプーリー１を取り付け、プーリー１とプーリー２を１つ、あるいは数のベルト３で結び、プーリー２からポンプへ動力が伝わる構造となる。この高速で回転するプーリー１、２、ベルト３を安全の為、網目状カバー４で覆う。
【００１１】
プーリー１、プーリー２及び網目状カバー４はそれぞれ、膨張色と収縮色、または進出色と後退色との組合せに着色する。例えば、プーリー１及び２を膨張色に着色した場合、網目状カバー４を収縮色に、プーリー１及び２を進出色に着色した場合は、網目状カバー４を後退色に着色する。
【００１２】
本考案で記載する膨張色もしくは進出色としては、例えば、波長の長い赤、オレンジまたは黄色などの色が挙げられ、一方、収縮色もしくは後退色としては、例えば、波長の短い、緑色がかった青、青、紫がかった青、黒などの色が挙げられる。この中でも赤と黒の組み合わせがプーリー１及び２の視認性向上の観点から好ましい。
【００１３】
以上詳述したようにベルト駆動装置を用いる事によって、プーリー、網目状カバーをそれぞれ膨張色と収縮色、または進出色と後退色との組合せに着色するという非常に安価かつ容易な方法で、離れた位置からであっても、プーリーが正常に回転しているかどうかといった状況を確実に確認することを可能としたベルト駆動装置を提供可能である。
【図面の簡単な説明】
【００１４】
【図１】本考案のベルト駆動装置の具体的一実施例の正面図である。
【実施例】
【００１５】
以下添付図に従って、一実施例を説明する。本考案のベルト駆動装置は、例えば図１に示す通り、モーターと直結したプーリー１、ポンプにつながるプーリー２及びこれらを結ぶベルト３からなり、更にこれらの上から網目状カバー４を設けた。そして、プーリー１及び２は膨張色である赤色に着色し、網目状カバー４は収縮色である黒色に着色した。このような塗りわけとすることにより、網目状カバー４の上からでもプーリー１及び２が容易に視認可能となり、特に遠くからでもプーリー１及び２が正常に回転しているかどうかといった状況を確認することが可能となる。
【符号の説明】
【００１６】
１、２                ：プーリー
３                    ：ベルト
４                    ：網目状カバー
【図１】
0003175554.tif 000003
(57)【要約】      （修正有）【課題】タブレット端末のカメラ・ムービー機能を利用して、安定的に連続撮影でき、またパーティー等で仲間達と一緒に撮影することができるスタンドを提供する。【解決手段】弾力性のあるブラスチック類で成形したスタンド本体１の底面にネジ穴２を設けて、タブレット端末をスタンド本体に保持した状態で、ネジ穴２でカメラ用三脚等のネジ構造物を締結することで、安定的に連続撮影できる。このことで上記課題を解決するものである。      【選択図】図１
0003175516.tif 000002
【実用新案登録請求の範囲】
【請求項１】
弾力性のあるプラスチック材料類で成形したスタンド本体の底面にネジ穴構造物を設けて、カメラ用三脚等のネジ構造物と締結して、安定的に撮影できることを可能にしたことと、スタンド本体の背面に設けた支え板を開けて、スタンドと共にタブレット端末を立てることで、見る、探す、読む及び、聞くことを楽しむことを可能にしたことを特徴とするタブレット端末用スタンド。
【考案の詳細な説明】
【技術分野】
【０００１】
本考案は、タブレット端末の充実した機能を効果的、安定的に操作できるようにしたスタンドに関するものである。
【背景技術】
【０００２】
タブレット端末のカメラ・ムービー機能を操作する場合、タブレット端末を片手、または、両手で保持して操作していた。連続撮影する場合に不安定な状態になり、希望する場面が撮影できない。また、本人が仲間と一緒に参加する場面の撮影が不可能である。
【先行技術文献】
【特許文献】
【０００３】
【特許文献１】特開２００７−３６４３７
【考案の概要】
【考案が解決しようとする課題】
【０００４】
タブレット端末を手で持ち、撮影することは、不安定で期待する場面を撮影することがむずかしい。従って、スタンドを使用することにより前述の欠点を解決しようとするものである。
【課題を解決するための手段】
【０００５】
本考案は、スタンドにタブレット端末の保持機能を設け、その底面にネジ穴構造物を設け、そのネジ穴にカメラ用三脚等のネジ構造物と締結することで、タブレット端末が固定されることにより問題点を解決するものである。
【考案の効果】
【０００６】
本考案のタブレット端末用スタンドは、弾力性を持つプラスチック類で成形したスタンド本体の底面にネジ穴構造物を設けたので、タブレット端末をスタンド本体に保持した状態で、カメラ用三脚等のネジ構造物に締結して、連続撮影、及び、パーティー等で仲間達と一緒に撮影することが可能となり、上記課題を解決するものである。
【図面の簡単な説明】
【０００７】
【図１】本考案のタブレット端末用スタンドの実施例を示す正面側の斜視図である。
【図２】本スタンド底面のネジ穴構造を示す底面側の斜視図である。
【図３】本スタンドの背面に支え板を設け、タブレット端末を希望角度に立てることを可能とした背面側の斜視図である。
【考案を実施するための形態】
【０００８】
タブレット端末は、弾力性を持つプラスチック類で成形したスタンドで保持される。この状態のスタンドをカメラ用三脚等のネジ構造物に締結して、カメラ・ムービー機能で楽しい場面を撮影できる。また、スタンドの裏面にある支え板を利用することで、撮影した楽しい場面を机上等で見て楽しむことができる。このことでタブレット端末で映す、見る、探す、読む及び、聞くことの楽しみが広がる。
【実施例】
【０００９】
以下、添付図面に従って一実施例を説明する。  １は弾力性のプラスチック材料等で一体形成されたスタンド本体、２はカメラ用三脚等のネジ構造物と締結するために、該スタンド本体１底部に設けたネジ穴で、このネジ穴２がネジ構造物と安定的に固定する機能となる。
【００１０】
３は前記スタンド本体１の背面の設けた支え板で、この支え板３を希望する角度に開ければ、該スタンド本体１を希望する角度に立てる機能となる。
【００１１】
本考案の一実施例は、上述の如き構成からなるものであるから、スタンド本体１の弾力性機能でタブレット端末を保持して、ネジ穴２でカメラ用三脚等のネジ構造物に固定して楽しい場面を、撮影することができる。また、手でスタンド本体１を保持しながらも撮影できる。スタンド本体１の背面に設けている支え板３を希望する角度に開ければ、スタンド本体１と共にタブレット端末を立てることができる。撮影した楽しい場面を机上等で見ることができ、しかも探す、読む及び、聞くことの楽しみが広がる。
【符号の説明】
【００１２】
１．  スタンド本体
２．  ネジ穴
３．  支え板
【図１】
0003175516.tif 000003
【図２】
0003175516.tif 000004
【図３】
0003175516.tif 000005
(57)【要約】      （修正有）【課題】使用済ガスボンベの残留ガスを抜くための穴あけ具を簡易な形で提供する。【解決手段】１枚の金属板１からなり、ガスボンベの底のフランジに係合する半円形の穴を打ち抜き、半円形の穴の直線部分より少し離れたところに金属板に２辺の切り込みを入れて垂直に折り曲げボンベの底の中心近くに穴を開けるための突起部３とする。金属板を手で包み込むように持ちフランジに係るように手前に引き突起部を底に押し付けて穴を開けるものである。【選択図】図２
0003175564.tif 000002
【実用新案登録請求の範囲】
【請求項１】
金属板を打ち抜き加工してなる、家庭用ガスボンベの残留ガス抜き具であって、前記金属板の端部をほぼ半円形に打ち抜いて形成された窓の半円部をガスボンベ底部フランジへの係合部とするとともに、前記金属板の中央部に三角形の２辺を切り込んで残りの１辺で折り曲げることによって前記三角形を金属板から直立せしめ、直立した三角形の先端をガスボンベ底面の穴あけ用突起としたことを特徴とする家庭用ガスボンベの残留ガス抜き具。
【請求項２】
金属板の外形を片手で把持できる大きさの長方形とした請求項１に記載の家庭用ガスボンベの残留ガス抜き具。
【請求項３】
穴あけ用突起部を、使用時に折り曲げ、使用後は折り曲げ前の状態に戻すようにしたことを特徴とする請求項１または２に記載の家庭用ガスボンベの残留ガス抜き具。
【考案の詳細な説明】
【技術分野】
【０００１】
本考案は使用済みガスボンベのガスを抜く穴開け具に関するものである。
【背景技術】
【０００２】
使用済みガスボンベを廃棄処理をする場合、ガスが残っていると爆発の危険があるためガスを抜くことが必要とされる。
【先行技術文献】
【特許文献】
【０００３】
【特許文献１】特開２００４−２４５４０６号公報
【考案の概要】
【考案が解決しようとする課題】
【０００４】
本考案は簡易な形からなり、ガスボンベの底にガスを抜く為の穴を開けることを特徴とする。
【課題を解決するための手段】
【０００５】
金属板を打ち抜き加工してなる、家庭用ガスボンベの残留ガス抜き具であって、前記金属板の端部をほぼ半円形に打ち抜いて形成された窓の半円部をガスボンベ底部フランジへの係合部とするとともに、前記金属板の中央部に三角形の２辺を切り込んで残りの１辺を折り曲げることによって前記三角形を金属板より直立せしめ、直立した三角形の先端をガスボンベ底面の穴あけ用突起とし、金属板を手で包み込むようにして持ちフランジに引っかかるように手前に引きながら突起部分を底に押し付けて穴を開け、残留ガスを抜くものである。
【考案の効果】
【０００６】
てこの応用で、小さい力で残留ガスを抜くことができ、金属板の形も簡易である。
【図面の簡単な説明】
【０００７】
【図１】使用済みガスボンベ残留ガス抜き器の全体図である。
【図２】使用済みガスボンベ残留ガス抜き器の使用例である。
【考案を実施するための形態】
【０００８】
金属板の端より内側にガスボンベのフランジに係合する大きさの半円形の穴を打ち抜き、その横にガスボンベの中央付近に穴が開くように金属板の２辺を切り込んで残りの１辺を折り曲げて直立せしめ突起部とする。
【符号の説明】
【０００９】
１      金属板
２      係合部
３      突起部
【図１】
0003175564.tif 000003
【図２】
0003175564.tif 000004
(57)【要約】【課題】停電の有無に拘らず地震時には光源を点灯させる照明器具を提供する。【解決手段】ＬＥＤ光源１１と、電源２から前記光源１１へ電力を供給する電力供給線１７と、地震の震度を感知する地震センサ１３と、前記電力供給線に直列に設けられ、前記地震センサにより感知した震度が所定値以上の場合にＯＮする入切スイッチ１２と、を備える。【選択図】  図１
0003175541.tif 000002
【実用新案登録請求の範囲】
【請求項１】
光源と、
電源から前記光源へ電力を供給する電力供給線と、  
地震の震度を感知する地震センサと、
前記電力供給線に直列に設けられ、前記地震センサにより感知した震度が所定値以上の場合にＯＮする入切スイッチと、を備える照明器具。
【請求項２】
前記入切スイッチは、少なくとも震度が４以上の場合にＯＮする請求項１に記載の照明器具。
【請求項３】
前記光源、前記電力供給線の一部及び前記地震センサは、照明器具の筐体に収納されている請求項１又は２に記載の照明器具。
【請求項４】
前記電力供給線は、無停電電源装置を介して前記電源に接続される請求項１〜３のいずれか一項に記載の照明器具。
【請求項５】
前記光源がＬＥＤである請求項１〜４のいずれか一項に記載の照明器具。
【請求項６】
前記入切スイッチに対して並列に手動入切スイッチが設けられている請求項１〜５のいずれか一項に記載の照明器具。
【考案の詳細な説明】
【技術分野】
【０００１】
本考案は、停電の有無に拘らず地震を感知して点灯する照明器具に関するものである。
【背景技術】
【０００２】
地震等で停電しても、非難する際の誘導灯として非常灯を点灯させる照明器具が提案されている（特許文献１）。しかしながら、この種の照明器具は停電しない限り非常灯が点灯しない回路構成とされているので、停電しない地震時には照明器具のスイッチを入れる操作が必要となり、逃げ遅れたりするという問題がある。
【先行技術文献】
【特許文献】
【０００３】
【特許文献１】特開２００９−２７２１３５号公報
【考案の概要】
【考案が解決しようとする課題】
【０００４】
本考案が解決しようとする課題は、停電の有無に拘らず地震時には光源を点灯させる照明器具を提供することである。
【課題を解決するための手段】
【０００５】
本考案は、所定値以上の震度を感知したら光源のスイッチを自動入力する回路を備えることにより、上記課題を解決する。
【考案の効果】
【０００６】
本考案によれば、停電の有無に拘らず、所定値以上の震度を感知したら光源のスイッチが自動入力し、これにより光源が点灯するので、停電しない地震が発生しても暗所を自動的に照明することができ、照明器具のスイッチを入力する操作が不要となる。その結果、暗所で衝突して怪我をしたり逃げ遅れたりすることがなくなり、安全に非難することができる。
【図面の簡単な説明】
【０００７】
【図１】本考案の一実施の形態に係る照明器具を示す電気回路図である。
【考案を実施するための形態】
【０００８】
本考案に係る照明器具１は、家屋内外に設けられ、地震災害時に非常用照明として機能する照明器具あり、ＬＥＤ光源１１と、商用交流電源２からＬＥＤ光源１１へ電力を供給する電力供給線１７と、交流電力を整流して直流電力に変換する整流回路１５と、整流された直流電力をＬＥＤ光源の定格電圧に降圧する降圧回路１６と、手動入切スイッチ１４と、を備える。
【０００９】
また、商用交流電源２と照明器具１との間には無停電電源装置３が設けられている。本例の無停電電源装置３は、商用交流電源２の交流電力を直流電力に変換するＡＣ／ＤＣ変換回路３１と、変換された直流電力を蓄電するバッテリ３２と、変換された直流電力を再び交流電力に変換するＤＣ／ＡＣ変換回路３３と、変換された交流電力を整流する波形整形回路３４とを備える。なお、波形整形回路３４は、変圧器やフィルタ回路などで構成されている。そして、商用電源２が停電した場合にはバッテリ３２がＤＣ／ＡＣ変換回路３３の電力供給源となり、停電しない場合には商用電源２がＤＣ／ＡＣ変換回路３３の電力供給源となる。
【００１０】
したがって、本例の照明器具１は、非停電時には無停電電源装置３を介して商用交流電源２から供給される交流電力が電力供給線１７から供給され、停電時には無停電電源装置３のバッテリ３２から供給される交流電力が電力供給線１７から供給される。そして、手動入切スイッチ１４をＯＮすることでＬＥＤ光源１１が点灯し、手動入切スイッチ１４をＯＦＦすることでＬＥＤ光源１１が消灯する。
【００１１】
特に本例の照明器具１は、地震の震度を感知する地震センサ１３と、電力供給線１７に直列に設けられ、且つ手動入切スイッチ１４に並列に設けられた入切スイッチ１２をさらに備える。これらを含め、ＬＥＤ光源１１、電力供給線１７の一部、整流回路１５、降圧回路１６及び地震センサ１３は、照明器具１の筐体１８に収納されている。
【００１２】
地震センサ１３は、機械式又は電気式のいずれも採用することができるが、電気式地震センサを採用する場合には、停電時においても当該地震センサにも電力が供給されるように回路構成する必要がある。したがって、機械式地震センサを用いることが望ましい。
【００１３】
本例の入切スイッチ１２は、地震センサ１３により感知した震度が、たとえば震度４以上の場合にＯＮするように構成されている。この機構は機械式で構成することが望ましいが、停電時においても電力が供給される回路構成とする場合には電気式機構で構成してもよい。
【００１４】
なお、本考案の光源１１はＬＥＤ光源にのみ限定されず、交流電力で作動する白熱灯や蛍光灯も適用することができる。交流電力の光源を用いる場合は、整流回路１５及び降圧回路１６を省略することもできる。
【００１５】
また、本考案の照明器具１は、無停電電源装置３を必ずしも必要とせず電力供給線１７を直接商用交流電源２に接続してもよい。
【００１６】
以上のように、本例の照明器具１によれば、震度が所定以上、たとえば震度４を感知すると、停電の有無に拘らず自動的に光源１１が点灯するので、非停電時において照明器具１の手動入切スイッチ１４をＯＮする操作が不要となる。その結果、暗所で衝突して怪我をしたり逃げ遅れたりすることがなくなり、安全に非難することができる。
【００１７】
また、無停電電源装置３に接続し、ＬＥＤ光源１１を用いているので、停電時には長時間の照明が可能となり、暗所において必要な家財道具等を持ち出すことができる。
【００１８】
また、光源１１、電力供給線１７の一部、整流回路１５、降圧回路１６及び地震センサ１３を筐体１８に収納しているので、既存の照明器具に代替が容易となり、さらに既存の照明器具に並べて配置することも容易となる。
【符号の説明】
【００１９】
１…照明器具
１１…ＬＥＤ光源
１２…入切スイッチ
１３…地震センサ
１４…手動入切スイッチ
１５…整流回路
１６…降圧回路
１７…電力供給線
１８…筐体
２…商用交流電源
３…無停電電源装置
３１…ＡＣ／ＤＣ変換回路
３２…バッテリ
３３…ＤＣ／ＡＣ変換回路
３４…波形整形回路
【図１】
0003175541.tif 000003